(57)【要約】【課題】  移動中であっても、受信状態の劣化を伴うことなく、その位置における最適な方向にアンテナの向きを変更する移動体テレビ受像機を提供する。【解決手段】  回転可能に固定された第1のアンテナと、第1のアンテナの向きを変えるための第1の駆動装置と、第1のアンテナを介してテレビ放送を受信するチューナーと、回転可能に固定された第２のアンテナと、第２のアンテナの向きを変えるための第２の駆動装置と、第２のアンテナを介しての受信の状態を測定する受信状態測定回路とを備える移動体テレビ受像機。第1の方向を向いた第１のアンテナを介してチューナーにて受信している間に、第２の駆動装置が第２のアンテナの向きを第1の方向とは異なる第２の方向に変え、第２の方向における受信状態を受信状態測定が測定し、当該測定結果に応じて、第１の駆動装置が第１のアンテナの向きを変える。【選択図】  図２
2010273076.tif 000002
【特許請求の範囲】
【請求項１】
当該移動体テレビ受像機の筐体に対して回転可能に固定された第１のアンテナと、
前記筐体に対する前記第１のアンテナの向きを変えるための第１の駆動装置と、
前記第１のアンテナを介してテレビ放送を受信するチューナーと、
前記第１のアンテナと異なるアンテナであって、前記筐体に対して回転可能に固定された第２のアンテナと、
前記筐体に対する前記第２のアンテナの向きを変えるための第２の駆動装置と、
前記第２のアンテナを介しての受信の状態を測定する受信状態測定回路と
を備え、
第１の方向を向いた前記第１のアンテナを介して前記チューナーにて受信している間に、前記第２の駆動装置が前記第２のアンテナの向きを前記第１の方向とは異なる第２の方向に変え、前記第２の方向における受信状態を前記受信状態測定が測定し、当該測定結果に応じて、前記第１の駆動装置が第１のアンテナの向きを変える
ことを特徴とする移動体テレビ受像機。
【請求項２】
前記第２の駆動装置が前記第２のアンテナを複数の方向それぞれに向け、前記複数の方向のそれぞれにおける受信状態を前記受信状態測定手段が測定し、前記複数の方向のうち、測定した受信状態が最も良好な方向に応じて、前記第１の駆動装置が第１のアンテナの向きを変えることを特徴とする、請求項１に記載の移動体テレビ受像機。
【請求項３】
前記チューナーの受信状態に応じて、前記第２の駆動装置は前記第２のアンテナの向きを前記第２の方向に変え、前記受信状態測定回路は前記第２の方向における受信状態を測定することを特徴とする、請求項１及び２のいずれかに記載の移動体テレビ受像機。
【請求項４】
前記チューナーは、電界強度を測定する手段、及び、キャリアとノイズの比を測定する手段の少なくとも一方を備え、これら測定手段の少なくとも一方の測定結果に基づいて前記受信状態を判定することを特徴とする、請求項３に記載の移動体テレビ受像機。
【請求項５】
前記チューナーはデジタル放送を受信するためのチューナーであり、誤り訂正を実行した回数を計数する手段を備え、前記計数の結果に基づいて前記受信状態を判定することを特徴とする、請求項３及び４のいずれかに記載の移動体テレビ受像機。
【請求項６】
当該移動体テレビ受像機の筐体に対して回転可能に固定された第１のアンテナと、
前記筐体に対する前記第１のアンテナの向きを変えるための第１の駆動装置と、
前記第１のアンテナを介してテレビ放送を受信するチューナーと、
前記第１のアンテナと異なるアンテナであって、前記筐体に対して回転可能に固定された第２のアンテナと、
前記筐体に対する前記第２のアンテナの向きを変えるための第２の駆動装置と、
前記第２のアンテナを介しての受信の状態を測定する受信状態測定回路と
を備える移動体テレビ受像機を用いて、
第１の方向を向いた前記第１のアンテナを介して前記チューナーにて受信している間に、前記第２の駆動装置が前記第２のアンテナの向きを前記第１の方向とは異なる第２の方向に変え、前記第２の方向における受信状態を前記受信状態測定が測定し、当該測定結果に応じて、前記第１の駆動装置が第１のアンテナの向きを変える
ことを特徴とする、移動体テレビ受像機の受信方法。
【請求項７】
前記第２の駆動装置が前記第２のアンテナを複数の方向それぞれに向け、前記複数の方向のそれぞれにおける受信状態を前記受信状態測定手段が測定し、前記複数の方向のうち、測定した受信状態が最も良好な方向に応じて、前記第１の駆動装置が第１のアンテナの向きを変えることを特徴とする、請求項６に記載の移動体テレビ受像機の受信方法。
【請求項８】
前記チューナーの受信状態に応じて、前記第２の駆動装置は前記第２のアンテナの向きを前記第２の方向に変え、前記受信状態測定回路は前記第２の方向における受信状態を測定することを特徴とする、請求項６及び７のいずれかに記載の移動体テレビ受像機の受信方法。
【請求項９】
前記チューナーは、電界強度を測定する手段、及び、キャリアとノイズの比を測定する手段の少なくとも一方を備え、これら測定手段の少なくとも一方の測定結果に基づいて前記受信状態を判定することを特徴とする、請求項８に記載の移動体テレビ受像機の受信方法。
【請求項１０】
前記チューナーはデジタル放送を受信するためのチューナーであり、誤り訂正を実行した回数を計数する手段を備え、前記計数の結果に基づいて前記受信状態を判定することを特徴とする、請求項８及び９のいずれかに記載の移動体テレビ受像機の受信方法。
【請求項１１】
当該移動体テレビ受像機の筐体に対して回転可能に固定された第１のアンテナと、
前記筐体に対する前記第１のアンテナの向きを変えるための第１の駆動装置と、
前記第１のアンテナを介してテレビ放送を受信するチューナーと、
前記第１のアンテナと異なるアンテナであって、前記筐体に対して回転可能に固定された第２のアンテナと、
前記筐体に対する前記第２のアンテナの向きを変えるための第２の駆動装置と、
前記第２のアンテナを介しての受信の状態を測定する受信状態測定回路と
を備える移動体テレビ受像機の制御をコンピュータに実行させるプログラムであって、
第１の方向を向いた前記第１のアンテナを介して前記チューナーにて受信している間に、前記第２の駆動装置が前記第２のアンテナの向きを前記第１の方向とは異なる第２の方向に変え、前記第２の方向における受信状態を前記受信状態測定が測定し、当該測定結果に応じて、前記第１の駆動装置が第１のアンテナの向きを変える手順をコンピュータに実行させることを特徴とするプログラム。
【請求項１２】
前記第２の駆動装置が前記第２のアンテナを複数の方向それぞれに向け、前記複数の方向のそれぞれにおける受信状態を前記受信状態測定手段が測定し、前記複数の方向のうち、測定した受信状態が最も良好な方向に応じて、前記第１の駆動装置が第１のアンテナの向きを変える手順をコンピュータに実行させることを特徴とする、請求項１１に記載のプログラム。
【請求項１３】
前記チューナーの受信状態に応じて、前記第２の駆動装置は前記第２のアンテナの向きを前記第２の方向に変え、前記受信状態測定回路は前記第２の方向における受信状態を測定する手順をコンピュータに実行させることを特徴とする、請求項１１及び１２のいずれかに記載のプログラム。
【請求項１４】
前記チューナーは、電界強度を測定する手段、及び、キャリアとノイズの比を測定する手段の少なくとも一方を備え、これら測定手段の少なくとも一方の測定結果に基づいて前記受信状態を判定する手順をコンピュータに実行させることを特徴とする、請求項１３に記載のプログラム。
【請求項１５】
前記チューナーはデジタル放送を受信するためのチューナーであり、誤り訂正を実行した回数を計数する手段を備え、前記計数の結果に基づいて前記受信状態を判定する手順をコンピュータに実行させることを特徴とする、請求項１３及び１４のいずれかに記載のプログラム。
【発明の詳細な説明】
【技術分野】
【０００１】
本発明は移動体受信装置での電波の受信に関し、特に、ワンセグ対応携帯電話機のような、移動体テレビ受像機でのテレビ電波の受信に関する。
【背景技術】
【０００２】
一般に、テレビ受像機にて視聴する際には、良好な視聴品質を得るため、受信状態が最良になる方向にアンテナの向きを設置する必要がある。特に、移動体テレビ受像機は、屋内に設置される据え置き型のテレビ受像機と異なり、特定の箇所で移動せずに受信する場合だけではなく、ユーザと共に移動しながら受信することも考慮する必要がある。
【０００３】
移動体テレビ受像機が移動しながら受信するとき、最良の受信状態が得られるアンテナの向きは移動に応じて変化する。ワンセグテレビでは、デジタル放送の特性もあって電界が強い地域を移動する際にはアンテナの向きが最適化されていない状態であっても良好な視聴品質を得ることができるが、特に、電界が弱い地域を移動する際、ユーザは、アンテナの向きを常に調整し続けていないと良好な視聴品質にてテレビを見ることができない。
【０００４】
特許文献１には、アンテナの向きをモータ等により変更しながら各方向における受信レベルを測定した後、測定結果中で受信レベルが最高となる方向にアンテナの向きを調整する携帯電話機が記載されている。この携帯電話機では、受信レベルを測定した位置において受信状態が最良となるアンテナの向きにアンテナを自動的に調整するので、ユーザは、最適な方向を探すためにアンテナの向きを自ら調整する必要がない。
【先行技術文献】
【特許文献】
【０００５】
【特許文献１】特開２０００−１７４５２６
【発明の概要】
【発明が解決しようとする課題】
【０００６】
特許文献１の携帯電話機において、受信レベルの測定位置から移動すると、最適なアンテナの向きも変わる。このため、移動後の位置において最良の受信状態を得るためには、各方向における受信レベルを移動後の位置において再度測定する必要がある。受信レベルの再測定を行うには、必然的にアンテナの向きを変更し、一時的にではあっても受信レベルが最低となる方向にもアンテナを向けることになる。
【０００７】
本発明はこのような状況に鑑みてなされたものであり、本発明が解決しようとする課題は、移動中であっても、受信状態の劣化を伴うことなく、その位置における最適な方向にアンテナの向きを変更する移動体テレビ受像機を提供することである。
【課題を解決するための手段】
【０００８】
上述の課題を解決するため、本発明は、その一態様として、当該移動体テレビ受像機の筐体に対して回転可能に固定された第1のアンテナと、筐体に対する第1のアンテナの向きを変えるための第1の駆動装置と、第1のアンテナを介してテレビ放送を受信するチューナーと、第1のアンテナと異なるアンテナであって、筐体に対して回転可能に固定された第２のアンテナと、筐体に対する第２のアンテナの向きを変えるための第２の駆動装置と、第２のアンテナを介しての受信の状態を測定する受信状態測定回路とを備え、第1の方向を向いた第１のアンテナを介してチューナーにて受信している間に、第２の駆動装置が第２のアンテナの向きを第1の方向とは異なる第２の方向に変え、第２の方向における受信状態を受信状態測定が測定し、当該測定結果に応じて、第１の駆動装置が第１のアンテナの向きを変えることを特徴とする移動体テレビ受像機を提供する。
【０００９】
また、本発明は、他の一態様として、当該移動体テレビ受像機の筐体に対して回転可能に固定された第1のアンテナと、筐体に対する第1のアンテナの向きを変えるための第1の駆動装置と、第1のアンテナを介してテレビ放送を受信するチューナーと、第1のアンテナと異なるアンテナであって、筐体に対して回転可能に固定された第２のアンテナと、筐体に対する第２のアンテナの向きを変えるための第２の駆動装置と、第２のアンテナを介しての受信の状態を測定する受信状態測定回路とを備える移動体テレビ受像機を用いて、第1の方向を向いた第１のアンテナを介してチューナーにて受信している間に、第２の駆動装置が第２のアンテナの向きを第1の方向とは異なる第２の方向に変え、第２の方向における受信状態を受信状態測定が測定し、当該測定結果に応じて、第１の駆動装置が第１のアンテナの向きを変えることを特徴とする、移動体テレビ受像機の受信方法を提供する。
【００１０】
また、本発明は、他の一態様として、当該移動体テレビ受像機の筐体に対して回転可能に固定された第1のアンテナと、筐体に対する第1のアンテナの向きを変えるための第1の駆動装置と、第1のアンテナを介してテレビ放送を受信するチューナーと、第1のアンテナと異なるアンテナであって、筐体に対して回転可能に固定された第２のアンテナと、筐体に対する第２のアンテナの向きを変えるための第２の駆動装置と、第２のアンテナを介しての受信の状態を測定する受信状態測定回路とを備える移動体テレビ受像機の制御をコンピュータに実行させるプログラムであって、第1の方向を向いた第１のアンテナを介してチューナーにて受信している間に、第２の駆動装置が第２のアンテナの向きを第1の方向とは異なる第２の方向に変え、第２の方向における受信状態を受信状態測定が測定し、当該測定結果に応じて、第１の駆動装置が第１のアンテナの向きを変える手順をコンピュータに実行させることを特徴とするプログラムを提供する。
【発明の効果】
【００１１】
このような移動体テレビ受像機によれば、第1のアンテナを第1の方向に向けてテレビ放送を受信している間にも、第２のアンテナを用いて第２の方向での受信状態を測定することができる。このため、第1のアンテナを介しての受信状態に影響を及ぼすことなく、他の方向における受信状態を測定することができる。
【図面の簡単な説明】
【００１２】
【図１】本発明の一実施の形態であるワンセグ対応携帯電話機１によるワンセグ電波５の受信について説明するための図である。
【図２】ワンセグ対応携帯電話機１のブロック図である。
【図３】ワンセグ対応携帯電話機１の動作を説明するためのフローチャートである。
【図４】ワンセグ対応携帯電話機１の動作を説明するためのフローチャートである。
【発明を実施するための形態】
【００１３】
本発明の一実施の形態であるワンセグ対応携帯電話機１（以下携帯電話機１と記すこともある）について説明する。図１に示すように、携帯電話機１は内蔵するワンセグチューナにてワンセグ放送を受信して、ワンセグ視聴画面をＬＣＤ画面２に表示するが、ワンセグ放送を受信するためのアンテナとして、ワンセグアンテナ３、検出用アンテナ４を備える。ワンセグアンテナ３と検出用アンテナ４は同じ指向性を有し、どちらのアンテナも、携帯電話機１の制御装置により制御を受けたモータにより角度が変更可能となっている。
【００１４】
一般に、携帯電話機１を携帯する者（ユーザ）がワンセグアンテナ３にてワンセグ電波５を受信しながら移動すると移動に伴って受信状態が変化する。ワンセグ電波５が弱電界な地域にユーザが移動したとき、ワンセグアンテナ３が持つ指向性とその角度によっては受信状態が悪くなる場合がある。
【００１５】
こうした、ワンセグアンテナ３での受信状態の悪化を避けるため、検出用アンテナ４を定期的に回転して受信電界が高くなる角度、即ち、高感度アンテナ角度を求めて、ワンセグアンテナ３の角度が高感度アンテナ角度になるようにワンセグアンテナ３を回転させる。
【００１６】
これにより、ワンセグアンテナ３の微調整を繰り返すことなく、ワンセグ受信状態を常に最良の状態に維持することができる。
【００１７】
次に、図２を参照してワンセグ対応携帯電話機１について更に詳しく説明する。携帯電話機１は、上述のＬＣＤ画面２、ワンセグアンテナ３、検出用アンテナ４に加えて、ステッピングモータ６、７、ワンセグチューナ８、９、制御回路１０を備える。ワンセグチューナ９はワンセグ電波５の電界強度を測定するための回路として電界強度測定回路１１を備える。
【００１８】
ワンセグ電波５を受信するワンセグアンテナ３はステッピングモータ６により回転し、角度の変更が可能となっている。ステッピングモータ６は制御回路１０の制御を受けてワンセグアンテナ３を回転させる。ワンセグチューナ８はワンセグアンテナ３を介して受信したワンセグ電波５に対してチューニングを行う。
【００１９】
また、ワンセグアンテナ３と同じ指向性を有する検出用アンテナ４はステッピングモータ７により回転し、角度の変更が可能となっている。ステッピングモータ７は制御回路１０の制御を受けて検出用アンテナ４を回転させる。
【００２０】
ワンセグアンテナ３、ワンセグチューナ８を介して行なうワンセグ放送の受信は、検出用アンテナ４、ワンセグチューナ９の動作状態とは独立して行われる。このため、ワンセグ放送の受信中であっても、その受信状態を維持したままで、検出用アンテナ４による電界強度の全周測定を行うことができる。
【００２１】
検出用アンテナ４はステッピングモータ７にて自由に角度、方向を変えることができる。制御回路１０は、あらかじめ設定した任意のプログラムに従って検出用アンテナ４を回転しながら、電波強度測定回路１１にてワンセグ電波５の電界強度を測定する。このようにして取得した角度と電界強度との対応関係に基づいて、制御回路１０は、電界強度が最大となる角度を高感度アンテナ角度として求める。
【００２２】
次に、制御回路１０は、ワンセグアンテナ３の角度が高感度アンテナ角度になるようにステッピングモータ６を制御する。これにより、同じ指向性を有する検出用アンテナ４にてワンセグ電波５の受信状態が最適であった方向にワンセグアンテナ３が向けられることになるので、ワンセグアンテナ３を介したワンセグチューナ８での受信状態も最適化される。尚、検出用アンテナ４の回転角度や周期はあらかじめ数種類プログラムされており、ユーザが選択できることとしてもよい。
【実施例１】
【００２３】
図３を参照してワンセグ対応携帯電話機１の動作について説明する。
【００２４】
ワンセグ放送の視聴を開始するため、ユーザが、携帯電話機１のテンキー等の入力装置にて所定の操作を行ってワンセグ受信機能を起動（ステップＳ１）し、自分の手でワンセグアンテナ３を任意の角度で引き出す（ステップＳ２）。
【００２５】
ここで視聴状態の良否を判定する（ステップＳ３）。この判定は、ユーザがＬＣＤ画面を見て判定してもよい。この場合、視聴状態が悪いと判定したときは、ユーザは入力装置を介して所定の操作を行い、後述するステップＳ７に続く処理を制御回路１０に実行させる。
【００２６】
或いは、ワンセグチューナ９と同様にワンセグチューナ８に電界強度測定回路を設け、この電界強度測定回路の測定値と所定の閾値とを制御回路１０が比較して判定することとしてもよい。電界強度測定回路の測定値に基づいて受信状態が劣悪であると制御回路１０が判定したとき、制御回路１０は後述するステップＳ７に移行する。
【００２７】
ユーザが視聴状態を良好と判定して所定の操作を行わないとき、或いは、制御回路１０が視聴状態を良好と判定したとき、制御回路１０はワンセグアンテナ３、検出用アンテナ４のどちらも回転させずにワンセグ電波５の受信、ＬＣＤ画面２での表示を続ける（ステップＳ４）。
【００２８】
所定の時間内に、ワンセグ放送の視聴を終了するための所定の操作がされるか否かを制御回路１０は判定する（ステップＳ５）。操作がなされた場合、制御回路１０はワンセグチューナ８での受信を終了する（ステップＳ６）。操作がされない場合はステップＳ３に戻る。
【００２９】
ステップＳ３にて視聴状態が劣悪であると判定した場合、制御回路１０は、ステッピングモータ７にて検出用アンテナ４を一回転（ステップＳ７）させながら、電界強度測定回路１１にて電界強度の測定を繰り返す（ステップＳ８）ことにより、電界強度が最大となる検出用アンテナ４の角度を高感度アンテナ角度として求める（ステップＳ９）。ここで制御回路１０がステッピングモータ７及び電界強度測定回路１１を制御するためのプログラムの一例としては、検出用アンテナ４を所定の角度だけ回転させ、その角度における電界強度を電界強度測定回路１１にて測定し、このときの回転角度と電界強度とを不図示の記憶装置に記憶する処理を、検出用アンテナ４が一回転するまで繰り返した後、電界強度が最大のときの回転角度を高感度アンテナ角度とするものが考えられる。一回の測定毎に検出用アンテナ４を回転する角度は特定の値に固定してあってもよいし、ユーザの操作に応じて選択された角度であってもよい。
【００３０】
このようにして高感度アンテナ角度を求めると、制御回路１０は、ワンセグアンテナ３が高感度アンテナ角度になるように、ステッピングモータ６を用いてワンセグアンテナ３を回転させる（ステップＳ１０）。
【実施例２】
【００３１】
実施例１では、検出用アンテナ４、ステッピングモータ７、電界強度測定回路１１による角度毎の電界強度測定、及び高感度アンテナ角度の判定は、ステップＳ３におけるユーザの操作に応じて、或いは、一定時間経過毎に行われる。これらの動作では、受信状態が急変したときに、ユーザの操作が必要になるか、一定時間が経過するまで受信状態が劣悪なままとなる。
【００３２】
これに対して、本実施例では、検出用アンテナ４を常に回転させて角度毎の電界強度を測定し、現在の角度の電界強度よりも高い角度が見つかると、即座にその角度にワンセグアンテナ３を回転させる点で異なる。
【００３３】
図４を参照してワンセグ対応携帯電話機１の他の動作について説明する。図３のフローチャートと比較すると、図４のフローチャートはステップＳ１１〜Ｓ１４が追加されている点で異なる。ステップＳ１〜Ｓ１０については実施例１と同様なので、ここでは新たに追加したステップを中心に説明する。
【００３４】
携帯電話機１にてワンセグ放送受信機能を起動してワンセグ放送を視聴しているとき、検出用アンテナ４は常に回転し、所定の角度毎に測定した電界強度と、ワンセグアンテナ３が現在向いている角度における電界強度とを比較する（ステップＳ１１）。ここで、ワンセグアンテナ３が現在向いている角度での電界強度よりも大きい電界が検出（ステップＳ１２）されると、制御回路１０は、その電界強度を現在の最大強度として更新（ステップＳ１３）し、検出用アンテナ４がその電界を検出したときの角度に向けて、ワンセグアンテナ３を回転させる（ステップＳ１４）。
【００３５】
以上、本発明を実施の形態及び実施例に即して説明したが、本発明はこれらに限定されるものではなく、発明の技術的範囲内において変更を加えることができることは当業者には明らかであろう。
【００３６】
例えば、上述の実施の形態、実施例では、受信状態を判定するための手段として、電界強度測定回路を用いたが、これに代わり、受信したワンセグ放送のキャリア／ノイズ比率を測定し、この測定値に基づいて受信状態を判定することとしてもよい。或いは、不図示の誤り訂正回路による誤り訂正の回数を指標として受信状態を判定することとしてもよい。
【００３７】
また、上述の説明では、ワンセグアンテナ３に接続されたワンセグチューナ８は電界強度測定回路、キャリア／ノイズ比率測定回路、誤り訂正回路等を備えるものとしては説明していなかったが、これらのいずれかをワンセグチューナ８が備えることとし、これら回路による測定値と所定の閾値とを制御回路１０にて比較し、比較結果に応じて図３ステップ７からＳ１０の動作を行うこととしてもよい。
【符号の説明】
【００３８】
１  ワンセグ対応携帯電話機
２  ＬＣＤ画面
３  ワンセグアンテナ
４  検出用アンテナ
５  ワンセグ電波
６、７  ステッピングモータ
８、９  ワンセグチューナ
１０  制御回路
１１  電界強度測定回路
【図１】
2010273076.tif 000003
【図２】
2010273076.tif 000004
【図３】
2010273076.tif 000005
【図４】
2010273076.tif 000006